(57)【特許請求の範囲】
【請求項１】
錠箱に固定される取付け筒にシリンダ錠の外筒又はサムターンの軸受筒を後方から差し込み止め板及びねじで抜き差し可能に装着できるようにしてあること；取付け筒の外周の前方に小径部を設けると共に、後方に雄ねじが切られた大径部を設けること；化粧リングの後方に取付け筒大径部の雄ねじに前方からねじ合わせることができる雌ねじ部を設けると共に、化粧リングの前方に取付け筒の小径部に可動に嵌め合わせることができる嵌挿部を設け、化粧リングの前方の嵌挿部と後方の雌ねじ部との間には内径が取付け筒の大径部より大径の空間部を備えること；取付け筒の大径部の半径方向に嵌め孔を穿設すること；及び、前記嵌め孔にその長さよりも長い止めピンを嵌挿し、組立時止めピンの内端をシリンダ錠の外筒又はサムターンの軸受け筒の周面で受けるようにし、止めピンの外端を化粧リングの中間の空間部内に突出させ、該止めピンを化粧リングの前方に向かうねじ戻しに対するストッパとしたことを構成条件とするシリンダ錠における化粧リングの交換装置。
【発明の詳細な説明】
【０００１】
【産業上の利用分野】
この発明は、シリンダ錠に関する化粧リングの交換装置に関する。
【０００２】
【従来の技術】
シリンダ錠の外筒又はサムターンの軸受筒が嵌め込まれて固定される取付け筒に対し、外観が円錐台状の化粧リングがねじ手段をもって嵌め合わせていることは公知である。このねじ合わせはドアの厚さの変化に対応させて化粧リングの後方端をドア表面に密接させるための一つの微調整手段である。
【０００３】
しかしながら、従来のねじ合せ型の化粧リングと取り付け筒との組み付け構造は、現場（シリンダ錠等をドアに取り付ける作業現場）では簡単に脱着できるようなものではないので、ドア厚が大きく変わり、ねじ合わせの微調整では対応できなくなると、異なる高さの化粧リングを備えた別のシリンダ錠組立体と全体として代えなければならず不便であった。
【０００４】
【発明が解決しようとする課題】
この発明は、シリンダ錠におけるネジ合わせ形式の化粧リングを高さの異なる別の化粧リングと簡単に取り替えることができるようにした交換装置を提案するものである。
【０００５】
【課題を解決するための手段】
上記の目的を達成するため、この発明のシリンダ錠における化粧リングの交換装置は、錠箱に固定される取付け筒にシリンダ錠の外筒又はサムターンの軸受筒を後方から差し込み止め板及びねじで抜き差し可能に装着できるようにしてあること；取付け筒の外周の前方に小径部を設けると共に、後方に雄ねじが切られた大径部を設けること；化粧リングの後方に取付け筒大径部の雄ねじに前方からねじ合わせることができる雌ねじ部を設けると共に、化粧リングの前方に取付け筒の小径部に可動に嵌め合わせることができる嵌挿部を設け、化粧リングの前方の嵌挿部と後方の雌ねじ部との間には内径が取付け筒の大径部より大径の空間部を備えること；取付け筒の大径部の半径方向に嵌め孔を穿設すること；及び、前記嵌め孔にその長さよりも長い止めピンを嵌挿し、組立時止めピンの内端をシリンダ錠の外筒又はサムターンの軸受け筒の周面で受けるようにし、止めピンの外端を化粧リングの中間の空間部内に突出させ、該止めピンを化粧リングの前方に向かうねじ戻しに対するストッパとしたことを構成条件とする。
【０００６】
【発明の実施の形態】
以下、図面に示す実施例に基づいてこの発明について説明する。
この発明は、ロータリーディスクシリンダ錠、ディスクシリンダ錠、ピンタンブラー錠その他任意のシリンダ錠に適用できる。図示例ではロータリーディスクシリンダ錠にこの発明を実施している。
【０００７】
また、シリンダ錠に対向して設けられドアの室内側に設けられるサムターン装置に対しても化粧リングを用いるものであれば、この発明は実施され得る。
【０００８】
図１〜図４において、錠箱１０を介して取付けボルト３０等で扉２０に固定される取付け筒１には、シリンダ錠の外筒２又はサムターンの軸受筒（以下「外筒２」で代表させる）を後方から差し込み、スペーサ３を介して止め板４及びねじ５で外筒２の後端を押さえ付けてあり、従って、外筒２は取り付け筒１に対し抜き差し可能に装着されていることになる。
【０００９】
なお、符号２１は外筒２内に収められたシリンダ錠の内筒、２２はテイルピース、２３は外筒２におけるロッキングバーの突条をなす収容部である。
【００１０】
前記の取付け筒１の外周における前方には小径部１１が設けられており、また、後方には雄ネジが切られた大径部１２が設けられている。符号１３は小径部１１と大径部１２との間の段部、１４は取付け筒１の先端部に固着した化粧板である。
【００１１】
取付け筒１の外側にねじ合わされて被着される外観が円錐台状をなす中空の化粧リング６は、図示例では、材質や加工上の都合で３つの部材６４、６５、６６をかしめ付け又は溶接等により一体的に組み付けた組立体として構成されているが、一つの部材で形成してもよい。また、取付け筒１の外観は円錐台状に限らず、例えば円筒状とすることもできる。
【００１２】
化粧リング６の後方には取付け筒１の大径部１２の雄ねじに前方からねじ合わせることができる雌ねじ部６２を設けると共に、化粧リング６の前方には、取付け筒１の小径部１１に回転方向及び直線方向で可動に嵌め合わせることができる、雌ねじ部６２により小径の嵌挿部６１を設け、また、化粧リング６の前方の嵌挿部６１と後方の雌ねじ部６２との間には、内径が取付け筒１の大径部１２より大径の空間部６３を備えるものとする。
【００１３】
前記の嵌挿部６１の内端は取付け筒１の段部１３に当接することによって化粧リング６が後方に向け抜け出すのを阻止する。
【００１４】
更に、上述の取付け筒１の大径部１２における好ましくは前方側には、半径方向に向け、肉厚分を貫通する嵌め孔１５を穿設する。
【００１５】
そして、嵌め孔１５には、その嵌め孔１５の長さよりも長い止めピン７を嵌挿し、組立時止めピン７の内端をシリンダ錠の外筒２又はサムターンの軸受筒（図示しない）の周面で受けるようにし、止めピン７の外端を化粧リング６の中間の空間部６３内に突出させる。
【００１６】
従って、その止めピン７は、化粧リング６の前方に向かうねじ戻しに対するストッパの役割を果たし、化粧リング６の抜き取りが阻止される。
【００１７】
次に、図１、図２、及び図４において、高さｈの化粧リング６を高さの異なる化粧リング６ａ（高さｈ1）または６ｂ（高さｈ2）に差し替える作業について説明する。
【００１８】
図４に示すように、まず、ねじ５を外して、取付け筒１から止め板４、スペーサ３及び外筒２を矢印Ｐ方向（後方）に向け抜き取り、次いで、止めピン７を取付け筒１の矢印Ｑ方向（内側）に向け抜き出す。
【００１９】
ここに、ピン７に雌ネジ６２の内縁部が当接することでねじ戻しが阻止されていた化粧リング６の拘束が解かれるので、同リング６は取付け筒１に対しねじ戻され、矢印Ｒ方向（前方）に向け抜き取ることができる。
【００２０】
そこで、ドア厚に適合する別の化粧リング６ａ又は６ｂを、前記とは逆の手順で取付け筒１に対し付け替えればよい。
【００２１】
なお、本発明をサムターン装置に対し実施する場合については、図示していないが、シリンダ錠の外筒２がサムターンの軸受け筒に、また、シリンダ錠の内筒２１がサムターンの回動軸にそれぞれ相当する。
【００２２】
【発明の効果】
以上に説明したように、この発明のシリンダ錠における化粧リングの交換装置によれば、取付け筒に対しねじ合わされている化粧リングを高さの異なる別の化粧リングと簡単に取り替えることができるので、作業者が数種の化粧リングを準備しておけば、持ち合わせのシリンダ錠組立体の化粧リングを差し替えることにより、厚さの異なるすべてのドアに対しそのシリンダ錠組立体を適応させることができるという効果を奏する。
【００２３】
また、本発明を実施したシリンダ錠は、それをドアに装着した後は、止めピンが室外側に露出しないので、破錠される恐れもないなどの効果を奏する。
【図面の簡単な説明】
【図１】この発明に係る化粧リングの交換装置を実施したシリンダ錠の側面図。
【図２】その部分縦断側面図。
【図３】ドアとの取付け関係を示すその部分縦断側面図。
【図４】化粧リングの取り外し手段を示す部分縦断分解図。
【符号の説明】
１  取付け筒
２  外筒
４  止め板
５  ねじ
６  化粧リング
７  止めピン
１５  嵌め孔
【図１】
0003761103.tif 000002
【図２】
0003761103.tif 000003
【図３】
0003761103.tif 000004
【図４】
0003761103.tif 000005